(57)【要約】      （修正有）【課題】本発明では、スポーツ中継サービスを提供するにおいて、トラフィックの制限があるモバイル環境においてより効率的にスポーツ中継を視聴できるようにする。【解決手段】通信網を活用したリアルタイム通知を通じて移動通信端末にスポーツ中継情報を提供し、ユーザがスポーツ競技と関連して受信を希望する情報を直接設定することで、スポーツ競技に対するリアルタイム中継情報及び多様なスポーツ関連記録情報を容易に確認でき、スポーツ競技中に発生する競技と関連する多様な通知状況に対する通知をリアルタイムで受信し、スポーツ中継画面に連結できるようにする。【選択図】図８Ａ
2014003612.tif 000002
【特許請求の範囲】
【請求項１】
通信網上のコンテンツ中継サーバと通信を受信する通信部と、
前記コンテンツ中継サーバと連動して既に設定された通知状況の発生を表示させ、前記通知状況に対する確認要請がある場合、前記通知状況に対応するコンテンツに対して前記通知状況が発生した時点以降から前記コンテンツの中継を行うリアルタイム中継を行ったり、前記通知状況が発生した時点以前の既に設定された一定時点から前記コンテンツの中継を行うタイムマシン中継を行うコンテンツ中継部と、
キー入力又は予め設定された条件に応じて前記コンテンツ中継部を駆動させる制御部と、
前記通知状況に対応するコンテンツを画面に表示させる表示部と
を備える移動通信端末。
【請求項２】
前記コンテンツ中継部は、
前記通知状況に対する確認要請時に、前記リアルタイム中継が選択された場合、前記コンテンツ中継サーバから前記通知状況の確認要請時点からの中継文字情報を受信して表示させたり、前記コンテンツの中継映像を提供する中継映像サーバから前記通知状況の確認要請時点からの前記コンテンツの中継映像を受信して表示させ、前記タイムマシン中継が選択された場合、前記コンテンツ中継サーバから前記通知状況の発生時点以前の既に設定された一定時点からの前記コンテンツの中継映像又は中継文字情報を受信して表示させることを特徴とする請求項１に記載の移動通信端末。
【請求項３】
前記コンテンツ中継部は、
前記タイムマシン中継が選択された場合、前記中継映像サーバから前記通知状況が発生した時点以前の既に設定された第１の一定時点から前記通知状況が発生した時点以降の既に設定された第２の一定時点まで製作された映像を受信して再生させることを特徴とする請求項２に記載の移動通信端末。
【請求項４】
前記コンテンツ中継部は、
前記通知状況発生の受信時に前記通知状況の発生を前記表示部の画面上の通知バー、ポップアップメッセージ又は音で出力させ、前記表示部上に前記コンテンツの中継画面が表示されている状態の場合、前記中継画面内の一定領域に前記ポップアップメッセージを表示させることを特徴とする請求項１に記載の移動通信端末。
【請求項５】
通信網を介して移動通信端末と通信を行う通信部と、
コンテンツと関連する情報を格納する格納部と、
前記移動通信端末に前記コンテンツと関連する情報を提供する記録情報提供部と、
前記移動通信端末の要請時に該当コンテンツの中継を行い、既に設定された通知状況が発生する場合、前記移動通信端末に通報し、前記通知状況に対する確認要請がある場合、前記通知状況に対応するコンテンツに対して前記通知状況の確認要請時点から前記コンテンツに対する中継映像を提供するリアルタイム中継又は前記通知状況が発生した時点以前の既に設定された一定時点から前記コンテンツに対する中継映像を提供するタイムマシン中継のうち選択された１つの方式で前記移動通信端末に中継する中継部と
を備えるコンテンツ中継サーバ。
【請求項６】
前記中継部は、
前記リアルタイム中継が選択された場合、前記通知状況の確認要請時点からの前記コンテンツの文字中継情報又は中継映像を前記移動通信端末に中継し、前記タイムマシン中継が選択された場合、前記通知状況が発生した時点以前の既に設定された第１の一定時点から前記通知状況が発生した時点以降の既に設定された第２の一定時点までの前記コンテンツの文字中継情報又は中継映像を前記移動通信端末に中継することを特徴とする請求項５に記載のコンテンツ中継サーバ。
【請求項７】
前記中継部は、
試合記録サーバから提供される前記コンテンツの中継と関連する文字データを分析したり、前記文字データと既に設定された状況分析データを組み合わせて前記通知状況の発生を判断することを特徴とする請求項５に記載のコンテンツ中継サーバ。
【請求項８】
前記中継部は、
前記コンテンツの中継映像を提供する中継映像サーバや前記試合記録サーバと周期的に時間情報を共有して時間同期化を行うことを特徴とする請求項７に記載のコンテンツ中継サーバ。
【請求項９】
前記記録情報提供部は、
前記コンテンツと関連する情報に対して前記移動通信端末からの情報提供要請の受信時に、前記要請に対応する情報を前記格納部から検索して提供することを特徴とする請求項５に記載のコンテンツ中継サーバ。
【請求項１０】
コンテンツ中継サービスに加入した移動通信端末からコンテンツ中継のための設定情報を受信して登録する段階と、
前記移動通信端末の要請時に該当コンテンツを送信して前記コンテンツ中継を行う段階と、
前記設定情報に登録された通知状況が発生するか否かを検査する段階と、
前記通知状況の発生時にこれを前記移動通信端末に通報する段階と、
前記移動通信端末から前記通知状況に対する確認の要請を受信する段階と、
前記通知状況に対する確認の要請を受信する場合、前記通知状況に対応するコンテンツの中継方式を確認する段階と、
前記中継方式がリアルタイム中継の場合、前記通知状況の確認要請時点から前記コンテンツに対する中継映像を前記移動通信端末に中継する段階と、
前記中継方式がタイムマシン中継の場合、前記通知状況が発生した時点以前の既に設定された第１の一定時点から前記通知状況が発生した時点以降の既に設定された第２の一定時点までの前記コンテンツに対する中継映像を前記移動通信端末に中継する段階と
を含むコンテンツ中継方法。
【発明の詳細な説明】
【技術分野】
【０００１】
本発明はスポーツ中継サービスに関し、特に、本発明ではスポーツ中継サービスを提供するにおいて、通信網を活用したリアルタイム通知を通じて移動通信端末にスポーツ中継情報を提供し、ユーザがスポーツ競技と関連して受信を希望する情報を直接設定することで、スポーツ競技に対するリアルタイム中継情報及び多様なスポーツ関連記録情報を容易に確認でき、スポーツ競技中に発生する競技と関連する多様な通知状況に対する通知をリアルタイムで受信し、スポーツ中継画面に連結できるようにすることによって、トラフィック（ｔｒａｆｆｉｃ）の制限があるモバイル環境においてより効率的にスポーツ中継を視聴できるようにする通信網を活用したコンテンツ中継サーバ、移動通信端末及び方法に関する。
【背景技術】
【０００２】
一般に、ユーザがプロ野球、サッカー、バスケットボール、テニスなどのスポーツ競技を視聴できる方法としては、テレビ、有線ネットワーク、スマートフォン（ｓｍａｒｔ  ｐｈｏｎｅ）、タブレット（ｔａｂｌｅｔ）ＰＣなどの移動通信端末（ｍｏｂｉｌｅ  ｄｅｖｉｃｅ）などを利用できる。
【０００３】
このようなスポーツ視聴方法のうち、移動通信端末でスポーツ競技などに対するコンテンツ放送を視聴するサービスとしては、ＤＭＢと通信事業者及びインターネット事業者により提供されるサービスが現存しており、従来の通信事業者が提供するサービスとしては、まずＬＴＥで自社の加入者を対象に提供するＫＴのＯｌｌｅｈ  ＴＶ  Ｎｏｗ  、ＬＧ  Ｕ＋のＨＤ  ＴＶという商品が挙げられる。両商品とも技術的には、放送チャネル映像をモバイルネットワークを活用して送出するモバイルテレビに該当すると言える。
【０００４】
また、インターネット事業者により提供されるリアルタイムスポーツ映像中継サービスとしては、代表的にＷｅｂサービス・プロバイダであるＮａｖｅｒのＷｅｂ基盤中継及びＣＪハロービジョンのＴｖｉｎｇ、アフリカＴＶなど別途のアプリケーション（ａｐｐｌｉｃａｔｉｏｎ）基盤で中継するサービスが挙げられる。
【０００５】
前記のような従来存在するサービス（通信会社、インターネット事業者）は、何れもプロ野球などのスポーツ競技の映像をモバイルネットワークを介して単に中継するサービスに該当すると見られ、放送を通じてリアルタイムで中継中の映像をモバイルネットワークを介して連続的に再生するリアルタイムテレビ形態の商品に該当すると見られる。
【先行技術文献】
【特許文献】
【０００６】
【特許文献１】大韓民国公開特許１０−２００６−００５４５１９号
【発明の概要】
【発明が解決しようとする課題】
【０００７】
しかし、モバイルにおけるプロ野球、サッカー、バスケットボールなどのスポーツ競技と関連するコンテンツと映画、ドラマなどのコンテンツを視聴しようとする要求（ｎｅｅｄｓ）は、テレビ及び有線ネットワークとは異なると言える。モバイルでは、トラフィックの負担、バッテリの限界、利用状況の制約（移動中）により、例えば、野球の場合に約３時間を超える試合時間の間持続的に視聴するニーズは大きくないと見られる。また、野球の場合、リアルタイムで発生するホームラン、逆転、投手の交代などのようなイベント（ｅｖｅｎｔ）を優先的に見たい顧客のニーズが存在するが、現存の単純な試合映像中継サービスでは、モバイルでの顧客のニーズを十分に解消することは困難であった。
【０００８】
そこで、本発明は上記事情に鑑みてなされたものであって、その目的は、スポーツ中継サービスを提供するにおいて、通信網を活用したリアルタイム通知を通じて移動通信端末にスポーツ中継情報を提供し、ユーザがスポーツ競技と関連して受信を希望する情報を直接設定することで、スポーツ競技に対するリアルタイム中継情報及び多様なスポーツ関連記録情報を容易に確認でき、スポーツ競技中に発生する競技と関連する多様な通知状況に対する通知をリアルタイムで受信し、スポーツ中継画面に連結できるようにすることによって、トラフィックの制限があるモバイル環境においてより効率的にスポーツ中継を視聴できるようにする通信網を活用したコンテンツ中継サーバ、移動通信端末及び方法を提供することにある。
【課題を解決するための手段】
【０００９】
前述した本発明は、移動通信端末であって、通信網上のコンテンツ中継サーバと通信を受信する通信部と、前記コンテンツ中継サーバと連動して既に設定された通知状況の発生を表示させ、前記通知状況に対する確認要請がある場合、前記通知状況に対応するコンテンツに対して前記通知状況が発生した時点以降から前記コンテンツの中継を行うリアルタイム中継を行ったり、前記通知状況が発生した時点以前の既に設定された一定時点から前記コンテンツの中継を行うタイムマシン中継を行うコンテンツ中継部と、キー入力又は予め設定された条件に応じて前記コンテンツ中継部を駆動させる制御部と、前記通知状況に対応するコンテンツを画面に表示させる表示部とを備える。
【００１０】
また、前記コンテンツ中継部は、前記通知状況に対する確認要請時に、前記リアルタイム中継が選択された場合、前記コンテンツ中継サーバから前記通知状況の確認要請時点からの中継文字情報を受信して表示させたり、前記コンテンツの中継映像を提供する中継映像サーバから前記通知状況の確認要請時点からの前記コンテンツの中継映像を受信して表示させ、前記タイムマシン中継が選択された場合、前記コンテンツ中継サーバから前記通知状況の発生時点以前の既に設定された一定時点からの前記コンテンツの中継映像又は中継文字情報を受信して表示させることを特徴とする。
【００１１】
更に、前記コンテンツ中継部は、前記タイムマシン中継が選択された場合、前記中継映像サーバから前記通知状況が発生した時点以前の既に設定された第１の一定時点から前記通知状況が発生した時点以降の既に設定された第２の一定時点まで製作された映像を受信して再生させることを特徴とする。
【００１２】
また、前記コンテンツ中継部は、前記通知状況発生の受信時に前記通知状況の発生を前記表示部の画面上の通知バー（ｎｏｔｉｆｉｃａｔｉｏｎ  ｂａｒ）、ポップアップメッセージ（ｐｏｐｕｐ  ｍｅｓｓａｇｅ）又は音で出力させ、前記表示部上に前記コンテンツの中継画面が表示されている状態の場合、前記中継画面内の一定領域に前記ポップアップメッセージを表示させることを特徴とする。
【００１３】
更に、本発明は、コンテンツ中継サーバであって、通信網を介して移動通信端末と通信を行う通信部と、コンテンツと関連する情報を格納する格納部と、前記移動通信端末に前記コンテンツと関連する情報を提供する記録情報提供部と、前記移動通信端末の要請時に該当コンテンツの中継を行い、既に設定された通知状況が発生する場合、前記移動通信端末に通報し、前記通知状況に対する確認要請がある場合、前記通知状況に対応するコンテンツに対して前記通知状況の確認要請時点から前記コンテンツに対する中継映像を提供するリアルタイム中継又は前記通知状況が発生した時点以前の既に設定された一定時点から前記コンテンツに対する中継映像を提供するタイムマシン中継のうち選択された１つの方式で前記移動通信端末に中継する中継部とを備える。
【００１４】
また、前記中継部は、前記リアルタイム中継が選択された場合、前記通知状況の確認要請時点からの前記コンテンツの文字中継情報又は中継映像を前記移動通信端末に中継し、前記タイムマシン中継が選択された場合、前記通知状況が発生した時点以前の既に設定された第１の一定時点から前記通知状況が発生した時点以降の既に設定された第２の一定時点までの前記コンテンツの文字中継情報又は中継映像を前記移動通信端末に中継することを特徴とする。
【００１５】
更に、前記中継部は、試合記録サーバから提供される前記コンテンツの中継と関連する文字データを分析したり、前記文字データと既に設定された状況分析データを組み合わせて前記通知状況の発生を判断することを特徴とする。
【００１６】
また、前記中継部は、前記コンテンツの中継映像を提供する中継映像サーバや前記試合記録サーバと周期的に時間情報を共有して時間同期化を行うことを特徴とする。
【００１７】
更に、前記記録情報提供部は、前記コンテンツと関連する情報に対して前記移動通信端末からの情報提供要請の受信時に、前記要請に対応する情報を前記格納部から検索して提供することを特徴とする。
【００１８】
また、本発明は、コンテンツ中継方法であって、コンテンツ中継サービスに加入している移動通信端末からコンテンツ中継のための設定情報を受信して登録する段階と、前記移動通信端末の要請時に該当コンテンツを送信して前記コンテンツ中継を行う段階と、前記設定情報に登録された通知状況が発生するか否かを検査する段階と、前記通知状況の発生時にこれを前記移動通信端末に通報する段階と、前記移動通信端末から前記通知状況に対する確認の要請を受信する段階と、前記通知状況に対する確認の要請を受信する場合、前記通知状況に対応するコンテンツの中継方式を確認する段階と、前記中継方式がリアルタイム中継の場合、前記通知状況の確認要請時点から前記コンテンツに対する中継映像を前記移動通信端末に中継する段階と、前記中継方式がタイムマシン中継の場合、前記通知状況が発生した時点以前の既に設定された第１の一定時点から前記通知状況が発生した時点以降の既に設定された第２の一定時点までの前記コンテンツに対する中継映像を前記移動通信端末に中継する段階とを含む。
【発明の効果】
【００１９】
本発明によれば、スポーツ中継サービスを提供するにおいて、通信網を活用したリアルタイム通知を通じて移動通信端末にスポーツ中継情報を提供し、ユーザがスポーツ競技と関連して受信を希望する情報を直接設定することで、スポーツ競技に対するリアルタイム中継情報及び多様なスポーツ関連記録情報を容易に確認でき、スポーツ競技中に発生する競技と関連する多様な通知状況に対する通知をリアルタイムで受信し、スポーツ中継画面に連結できるようにすることによって、トラフィックの制限があるモバイル環境においてより効率的にスポーツ中継を視聴できるようにするという効果を奏する。
【図面の簡単な説明】
【００２０】
【図１】本発明の実施形態による通信網を用いたスポーツ中継システムのネットワーク構成を示す図である。
【図２】本発明の実施形態による通信網を用いてスポーツ中継サービスを提供するスポーツ中継サーバの詳細ブロック図である。
【図３】本発明の実施形態によるスポーツ中継サービスを提供する移動通信端末の詳細ブロック図である。
【図４】本発明の実施形態による多様なスポーツのうち、野球中継画面の例示図である。
【図５Ａ】本発明の実施形態による多様なスポーツのうち、野球中継画面の例示図である。
【図５Ｂ】本発明の実施形態による多様なスポーツのうち、野球中継画面の例示図である。
【図６Ａ】本発明の実施形態による多様なスポーツのうち、野球中継画面の例示図である。
【図６Ｂ】本発明の実施形態による多様なスポーツのうち、野球中継画面の例示図である。
【図７Ａ】本発明の実施形態による多様なスポーツのうち、野球中継画面の例示図である。
【図７Ｂ】本発明の実施形態による多様なスポーツのうち、野球中継画面の例示図である。
【図８Ａ】本発明の実施形態によるスポーツ中継システムにおける野球中継動作のための信号処理フローチャートである。
【図８Ｂ】本発明の実施形態によるスポーツ中継システムにおける野球中継動作のための信号処理フローチャートである。
【発明を実施するための形態】
【００２１】
以下、添付の図面を参照して本発明の動作原理を詳細に説明する。下記で本発明を説明するにおいて公知の機能又は構成についての具体的な説明が本発明の要旨を不要に曖昧にするおそれがあると判断される場合には、その詳細な説明を省略する。そして、後述する用語は、本発明での機能を考慮して定義された用語であって、これはユーザ、運用者の意図又は慣例などによって変わり得る。従って、その定義は、本明細書全般に亘る内容に基づいて行われるべきである。
【００２２】
図１は、本発明の実施形態による通信網を用いたコンテンツ中継システムのネットワーク構成を示す図である。以下、本発明の実施形態では説明の便宜上、コンテンツ放送の一例として野球やサッカーなどのようなスポーツ競技を中継するシステムとそれに伴うスポーツ中継の動作を説明するが、スポーツ中継は一例に過ぎず、映画、ドラマなどのあらゆるコンテンツ放送の場合にも同様に適用可能である。
【００２３】
以下、図１を参照して本発明のコンテンツ中継システムの各構成要素においてスポーツ中継のための動作のうち、例えば野球を中継するための動作を詳細に説明する。
【００２４】
まず、移動通信端末１００は、通信網上のコンテンツ中継サーバ１０２で提供する野球中継サービスに登録してコンテンツ中継サーバ１０２との連動によりユーザに現在進行中である野球試合の中継情報と多様な野球関連記録情報を提供するユーザインターフェース装置であって、多様なオペレーティングシステムを有するアイパッド（登録商標）（ｉＰａｄ）、ギャラクシータブ（Ｇａｌａｘｙ  ｔａｂ）などのタブレットＰＣとｉＰｈｏｎｅ、Ａｎｄｒｏｉｄフォンのようなスマートフォンなどの端末を含むことができる。
【００２５】
このような移動通信端末１００には、コンテンツ中継サーバ１０２との連動により移動通信端末１００上に野球中継情報を提供できるアプリケーションが予めインストールされていたり、又はユーザの選択によってダウンロードされてインストールされ、該当アプリケーションが実行される場合、コンテンツ中継サーバ１０２との連動により現在進行中の野球試合のリアルタイム中継情報と多様な野球関連記録情報を提供することによって、ユーザが移動中の場合にも移動通信端末１００を通じてより容易に野球中継を視聴したり、野球関連記録情報を検索したりすることができるようにする。
【００２６】
また、移動通信端末１００は、コンテンツ中継サーバ１０２から競技関連通知状況に対する通知を受信し、通知の受信時に移動通信端末１００上の通知バー又はポップアップメッセージで表示させる。このような通知状況に関する情報と通知状況の発生時に該当通知状況に対応する中継映像の中継方式に関する情報は、予めコンテンツ中継サーバ１０２に登録され得る。このとき、このような通知状況は、例えば野球の場合、ホームラン、投手の交代などのイベントが発生した状況を意味し得、このような通知状況は、イベントの特性によって記録状況、予想状況、重要状況、関心状況などに区分され得る。
【００２７】
記録状況は、実際に野球試合状況のうち、１つの記録として区分される状況を意味するものであって、例えば、ホームラン、投手の交代、安打（ヒット）、得点の成功などの状況を意味し得る。
【００２８】
予想状況は、それ自体の状況だけでは１つの記録ではないものの、記録として区分され得る状況が発生する可能性が高い状況を意味するものであって、例えば野球の場合、得点チャンス（２塁以上の進出など）、勝負所（７回以後の同点ランナーの進出時、抑え投手の登板時など）などの状況を意味し得る。
【００２９】
重要状況は、状況自体は中継が必要な重要な状況ではないものの、相手選手及び時期によって特に意味を付与できる状況を意味するものであって、例えば野球の場合、「リュ・ヒョンジン投手の１００Ｋ突破」、「イ・スンヨプ選手の韓国復帰後初安打」、「連続フォアボール」などの状況を意味し得る。
【００３０】
関心状況は、例えばスポーツ中継リポーターなどにより中継が必要と判断された状況を意味するものであって、例えば野球の場合、「好守備」、「名珍場面」、「観客席あれこれ」などのように試合の勝敗や公式的な試合記録とは直接の関連性はないものであるかも知れないが、野球中継サービスに加入したユーザが知りたがる付加的な状況を意味し得る。
【００３１】
コンテンツ中継サーバ１０２は、ＬＴＥ網を含む通信網に接続され得る移動通信端末１００に野球を含む多様なスポーツ競技に対する中継情報及び多様なスポーツ関連記録情報を提供するように実現されたサーバを意味する。本発明では説明の便宜上、例えば野球中継を行う動作を説明するが、スポーツ中継は一例に過ぎず、映画、ドラマなどのあらゆるコンテンツ放送の場合にも同様に適用可能である。
【００３２】
即ち、コンテンツ中継サーバ１０２は、例えば野球中継サービスに加入した移動通信端末１００の加入者情報を管理し、野球中継サービスに加入した移動通信端末１００がコンテンツ中継サーバ１０２に接続する場合、該当移動通信端末１００により予め登録された設定情報によって該当移動通信端末１００が受信を希望する野球関連記録情報と現在進行中である野球試合の中継情報を移動通信端末１００に提供する。
【００３３】
このとき、設定情報は、野球中継サービスに加入した移動通信端末１００のユーザ自身がサービスの提供を希望する野球関連記録情報、試合中に発生するイベントを含む通知状況情報、リアルタイム中継情報などを設定した情報になり得る。例えば、野球試合が予定されている当日に全球場の野球試合に関するリアルタイム中継情報の受信を希望するかしないか、野球関連記録情報の中では特定の幾つかのチームのチーム成績と選手の成績情報を検索することを希望するかしないか、興味のある野球試合に対してホームラン、逆転、投手の交代などのイベント（ｓｐｏｒｔｓ  ｅｖｅｎｔ）を含む通知状況の発生時に通知メッセージを受信するかしないかなどを設定する情報であり得る。このような設定情報は、移動通信端末１００の野球中継サービスを提供するアプリケーションが実行される場合、該当アプリケーションで提供する環境設定メニューから所望の情報を選択して設定情報を定めることができる。
【００３４】
これにより、コンテンツ中継サーバ１０２は、移動通信端末１００別に登録した設定情報に合うようにリアルタイム中継情報を提供したり、野球関連記録情報を格納している野球関連記録情報ＤＢ（２１４）で移動通信端末１００から要請した事項に対応する野球関連記録情報を収集して提供できる。
【００３５】
このとき、前記のようなホームラン、逆転、投手の交代などのスポーツイベントは、実際の野球試合において１つの記録として区分される状況に関する情報であって、記録状況に区分され得る。これにより、コンテンツ中継サーバ１０２は、前記のような記録状況の発生時に該当移動通信端末１００に通知を送って該当記録状況が発生したことを知らせることができ、記録状況に関する情報の要請時に記録状況の発生に関する詳細情報を文字で提供したり、中継映像サーバ１０８を介して実際の中継映像などが提供されるようにすることができる。
【００３６】
一方、コンテンツ中継サーバ１０２は、前記のような記録状況に関する情報以外にも、例えば野球の場合、多様な状況を区分して移動通信端末１００のユーザに提供できる。例えば、野球試合での多様な状況は、前述したように、記録状況、予想状況、重要状況、関心状況などに区分され得る。
【００３７】
即ち、コンテンツ中継サーバ１０２は、記録状況に対するスポーツイベントの発生以外にもユーザに提供できる予め設定された基準に符合する多様な通知状況が発生する場合、該当通知状況の発生を移動通信端末１００に知らせ、その詳細内容を文字又は実際の中継映像画面などで提供できる。
【００３８】
このとき、コンテンツ中継サーバ１０２は、通知状況の詳細内容に対する実際の中継映像を提供するにおいて、中継映像サーバ１０８と移動通信端末１００とを連結させて該当実際の中継映像をリアルタイム中継方式又はタイムマシン中継方式などで移動通信端末１００に中継できる。ここで、リアルタイム中継方式は、通知状況に対する確認が要請された時点で該当スポーツの現在進行中であるリアルタイム中継映像をストリーミングでそのまま中継することを意味し、タイムマシン中継方式は、通知状況が発生した時点から２分前又は５分前など、通知状況が発生する以前の既に設定された特定時点から該当スポーツの中継映像又は文字を中継することを意味する。
【００３９】
以下、コンテンツ中継サーバ１０２において多様な通知状況を認知する動作を説明する。
【００４０】
コンテンツ中継サーバ１０２は、試合記録サーバ１０４から文字データなどで提供される野球試合の多様な状況情報を受信し、文字データのうち、特定の記録状況が含まれているかを確認して記録状況を認知できる。即ち、コンテンツ中継サーバ１０２は文字データのうち、「ホームラン」などのような特定の記録状況として認知できるテキストを探して記録状況を認知できる。
【００４１】
また、コンテンツ中継サーバ１０２は、野球などの中継対象スポーツ競技において重要な状況を予め分析してデータ化した後、該当状況が発生するか否かを確認して予想状況又は重要状況を認知できる。
【００４２】
即ち、例えば、コンテンツ中継サーバ１０２は、ランナーが２塁以上の進出時などの状況に対して「得点チャンス」などにデータ化して予想状況として認知でき、７回以後同点ランナーの進出時、抑え投手の登板時などの状況に対して「勝負所」などにデータ化して予想状況として認知できる。
【００４３】
また、コンテンツ中継サーバ１０２は、特定選手の「安打」又は「三振」などの状況に対して「リュ・ヒョンジン投手の１００Ｋ突破」、「イ・スンヨプ選手の韓国復帰後初安打」などにデータ化して重要状況として認知できる。
【００４４】
更に、コンテンツ中継サーバ１０２は、野球中継サービスを申請したユーザが関心状況として登録する情報を参照して該当情報と関連性のある情報が受信される場合、関心状況として認知して該当情報を知らせることもできる。例えば、ユーザが好守備を多く見せる野球選手である「チェ・ジョン」を関心状況候補として登録した状態で、野球中継文字データのうち、３塁ゴロアウトに関する情報を受信する場合、３塁ゴロアウトは「チェ・ジョン」の守備と関連性があり得るので、「関心状況か否かのチェックが必要」などのような通知メッセージを移動通信端末１００に提供できるのである。
【００４５】
試合記録サーバ１０４とは、野球場１１０で野球試合の状況情報をリアルタイムで記録した情報を受信し、これを文字データなどの情報として通信網上のコンテンツ中継サーバ１０２に提供するサーバをいう。このような野球試合の状況情報は、例えば野球場１１０にいる文字記録員１０６などを通じて記録され得る。
【００４６】
中継映像サーバ１０８とは、野球場１１０で野球試合の状況情報を中継カメラ１１２などでリアルタイムで撮影し、中継映像データなどの情報として移動通信端末１００に提供するサーバをいう。コンテンツ中継サーバ１０２は、移動通信端末１００からのリアルタイム中継情報が実際の中継映像情報に設定された場合、中継映像サーバ１０８と移動通信端末１００とを連結させて野球試合の状況に対する実際の中継映像データがストリーム（ｓｔｒｅａｍ）形態で移動通信端末１００に送信されるようにすることができる。
【００４７】
図２は、本発明の実施形態による通信網を用いてスポーツ中継サービスを提供するコンテンツ中継サーバ１０２の詳細ブロック構成を示す図である。以下でも、本発明の実施形態では説明の便宜上、コンテンツ放送の一例として野球やサッカーなどのようなスポーツ競技を中継する動作を説明するが、スポーツ中継は一例に過ぎず、映画、ドラマなどのあらゆるコンテンツ放送の場合にも同様に適用可能である。
【００４８】
以下、図２を参照して本発明のコンテンツ中継サーバ１０２の各構成要素における動作を詳細に説明する。
【００４９】
通信部２００は、通信網を介して移動通信端末１００と野球中継サービスのためのデータの送受信を行う。また、野球試合に対する文字中継時に試合記録サーバ１０４から野球試合の状況に対する文字データを中継情報として受信する。このとき、前記のような通信網は、無線網、ＬＴＥ網を含むことができる。
【００５０】
メモリ部２０２は、サーバ制御部２０４で野球中継サービスを提供するための全般的な動作を制御できるようにするための動作プログラムを格納する。
【００５１】
サーバ制御部２０４は、メモリ部２０２に格納された動作プログラムによってコンテンツ中継サーバ１０２の全般的な動作を制御する。また、サーバ制御部２０４は、格納部２１０内の野球中継サービスに加入した移動通信端末１００の会員情報を記録している会員情報ＤＢ（２１２）を参照してコンテンツ中継サーバ１０２に接続した移動通信端末１００のサービス加入如何を判断し、多様な野球関連記録情報を格納している野球関連記録情報ＤＢ（２１４）を管理する。
【００５２】
中継部２０６は、野球中継サービスに加入した移動通信端末１００により予め登録された設定情報によって該当現在進行中である野球試合の中継情報を移動通信端末１００に提供する。
【００５３】
このとき、前記のような設定情報は、野球中継サービスに加入した移動通信端末１００のユーザ自身がサービスの提供を希望する野球関連記録情報、競技中に発生するイベントを含む通知状況情報、リアルタイム中継情報などを設定した情報になり得、中継部２０６は、移動通信端末１００別に登録した設定情報に合うようにリアルタイム中継を提供する。一方、前記のような設定情報の登録は、野球中継サービスに加入したユーザが移動通信端末１００を通じて登録してもよく、移動通信端末１００の以外にコンテンツ中継サーバ１０２と接続可能なＰＣ（Ｐｅｒｓｏｎａｌ  Ｃｏｍｐｕｔｅｒ）又はウェブ（Ｗｅｂ）を通じて登録してもよい。
【００５４】
以下、中継部２０６の動作を更に詳細に説明すると、中継部２０６は、移動通信端末１００に提供する現在進行中の野球試合に対するリアルタイム中継が移動通信端末１００により登録された設定情報によって文字中継に設定された場合、通信網上の試合記録サーバ１０４から野球試合の状況に対する文字データを中継情報として受信し、これを移動通信端末１００に送信する。
【００５５】
また、移動通信端末１００に提供する現在進行中の野球試合に対するリアルタイム中継が実際の映像の中継に設定された場合、該当移動通信端末１００を中継映像サーバ１０８に連結させて中継映像サーバ１０８から野球試合の状況に対する実際の中継映像データがストリーム形態で移動通信端末１００に提供できるようにする。
【００５６】
更に、中継部２０６は、野球試合中に発生するホームラン、逆転、延長戦へ突入又は投手の交代などの記録状況又は予想状況、重要状況、関心状況など移動通信端末１００のユーザに知らせる必要がある通知状況が発生するかを検査し、通知状況の発生時に該当移動通信端末１００にポップアップメッセージなどで通知状況の発生を通報する。このとき、中継部２０６は、前記のような通知状況の発生をプッシュメッセージ（ｐｕｓｈ  ｍｅｓｓａｇｅ）を通じて移動通信端末１００に通報できる。
【００５７】
これにより、移動通信端末１００では、該当通知状況に対する内容がポップアップメッセージなどで表示され、ユーザが関心対象スポーツで発生する多様な通知状況に関する情報が分かるようになる。このとき、前記のような通知状況は、サッカーやバスケットボールなど野球と異なるスポーツでは該当スポーツに合う情報に設定され得る。
【００５８】
このとき、前記のようなホームラン、逆転、投手の交代などのスポーツイベントは、実際の野球試合において１つの記録として区分される状況に関する情報であって、記録状況に区分され得ることは前述した通りである。これにより、コンテンツ中継サーバ１０２は、前記のような記録状況に関する情報の発生時に該当移動通信端末１００に通知を送り、該当記録状況が発生したことを知らせることができ、記録状況に関する情報の要請時に記録状況の発生に関する詳細情報を文字又は実際の中継映像画面などで提供できる。
【００５９】
また、中継部２０６は、記録状況に対するスポーツイベントの発生以外にもユーザに提供できる予め設定された基準に符合する前述した予想状況、重要状況、関心状況など多様な通知状況が発生する場合、該当通知状況の発生を移動通信端末１００に知らせ、その詳細内容を文字又は実際の中継映像画面などで提供できる。
【００６０】
前記のような通知状況の詳細内容に関する文字又は実際の中継映像を提供するにおいて、中継部２０６は、該当実際の中継映像をリアルタイム中継方式又はタイムマシン中継方式で提供して移動通信端末１００に中継できる。ここで、リアルタイム中継方式は、通知状況に対する確認が要請された時点で該当スポーツの現在進行中であるリアルタイム中継映像をストリーミングでそのまま中継することを意味し、タイムマシン中継方式は、通知状況が発生した時点から２分前又は５分前など、通知状況が発生する以前の既に設定された特定時点から該当スポーツの中継映像又は文字を製作して中継することを意味する。
【００６１】
このとき、中継部２０６は、リアルタイム中継方式の場合、移動通信端末１００を中継映像サーバ１０８に連結させて中継映像サーバ１０８から野球試合の状況に対する実際の中継映像データがストリーム形態で移動通信端末１００に提供できるようにする。
【００６２】
また、中継部２０６は、タイムマシン中継方式の場合、中継映像サーバ１０８に該当コンテンツに対して持続的に録画した映像データを用いて通知状況が発生した時点以前の既に設定された一定時点からの映像データを移動通信端末１００に中継映像として提供するようにすることができる。更に、中継部２０６は、中継映像サーバ１０８を通じたタイムマシン中継方式の映像提供において、前述した通知状況の発生以前の一定時点から該当コンテンツの中継映像がリアルタイム中継と同様に持続的に提供されることもでき、また、前記とは違って、例えば通知状況が発生した時点以前の既に設定された第１の一定時点から通知状況が発生した時点以降の既に設定された第２の一定時点までの映像が中継映像として提供されるようにすることもできる。
【００６３】
一方、移動通信端末１００のユーザは、前記のように、自身が通知を受けられるように設定した通知状況が発生したことを通報される場合、該当通知状況に関する詳細な内容を要請でき、このような要請情報は、通信網を介してコンテンツ中継サーバ１０２に送信され得る。これにより、中継部２０６は、移動通信端末１００からの通知状況の内容に対する確認要請がある場合、通知状況に対する内容を文字情報で提供するか、又はユーザにより選択された中継方式によって該当中継映像が中継映像サーバ１０８を通じて提供できるようにする。
【００６４】
このとき、前記のように通知状況に対応する中継映像を正確に中継するためには、中継方式によって通知状況の発生以前の時点に正確に移動することが重要である。従って、中継映像サーバ１０８とコンテンツ中継サーバ１０２、試合記録サーバ１０４間の時間情報の同期化が必要である。このような時間情報の同期化のために、特定周期毎にコンテンツ中継サーバ１０２と中継映像サーバ１０８、試合記録サーバ１０４間の時間情報を共有するようにすることで、時間を同期化する動作を行うことができ、これにより、サーバ間の時間差が発生するのを最小化できる。
【００６５】
記録情報提供部２０８は、野球中継サービスに加入した移動通信端末１００がコンテンツ中継サーバ１０２に接続する場合、該当移動通信端末１００により予め登録された設定情報を確認し、設定情報によって該当移動通信端末１００が受信を希望する野球関連記録情報を収集して移動通信端末１００に提供する。
【００６６】
このとき、設定情報は、前述したように、野球中継サービスに加入した移動通信端末１００のユーザ自身がサービスの提供を希望する野球関連記録情報、通知状況情報、リアルタイム中継情報などを設定した情報を意味し得る。例えば、野球試合が予定されている当日に全球場の野球試合に関するリアルタイム中継情報の受信を希望するかしないか、野球関連記録情報の中では特定の幾つかのチームのチーム成績と選手の成績情報を検索することを希望するかしないか、興味のある野球試合に対してホームラン、逆転、投手の交代などの野球試合関連の多様な通知状況の発生時に通知メッセージで該当通知状況の発生を知らせることなどを設定する情報であり得る。
【００６７】
これにより、記録情報提供部２０８は、移動通信端末１００別に登録した設定情報に対応する情報に対して野球関連記録情報を格納している野球関連記録情報ＤＢ（２１４）から収集して移動通信端末１００に提供できる。
【００６８】
図３は、本発明の実施形態による野球中継サービスを提供する移動通信端末１００の詳細ブロック構成を示す図である。このような移動通信端末１００は、ｉＰａｄ、Ｇａｌａｘｙ  ｔａｂなどのタブレットＰＣとｉＰｈｏｎｅ、Ａｎｄｒｏｉｄフォンのようなスマートフォンなどの端末を含むことができる。以下の説明では、野球中継サービスを提供する移動通信端末１００における動作を一例として説明するが、これは説明の便宜のためのものであって、サッカー、バスケットボール、テニスなど他のスポーツ競技でも同様に適用可能であり、映画、ドラマなどのコンテンツ放送の動作でも同様に適用可能である。
【００６９】
以下、図３を参照して移動通信端末１００の各構成要素と通信網を介して野球中継サービスを提供する動作を詳細に説明する。
【００７０】
まず、キー入力部３００は、移動通信端末１００の多様な動作の要請のための多数の数字キー及びファンクションキーで構成され得、ユーザが所定のキーを押すとき、該当するキーデータを発生して制御部３０６に出力する。前記のようなキー入力部３００は、メーカー別、国別に文字配列の差がある。また、キー入力部３００は、スマートフォン、Ｇａｌａｘｙ  ｔａｂ、ｉＰａｄなどのタブレットＰＣでは、物理的なキーパッド（ｋｅｙｐａｄ）の代わりに、ソフトウェア方式で必要時に表示部３０４上にタッチスクリーン（ｔｏｕｃｈ  ｓｃｒｅｅｎ）形式で表示されることも可能である。
【００７１】
通信部３０２は、ＬＴＥ網などの通信網を介して中継映像サーバ１０８、コンテンツ中継サーバ１０２などと連結され得、野球中継サービスのための移動通信端末１００とコンテンツ中継サーバ１０２間の各種情報の送受信をインターフェース（ｉｎｔｅｒｆａｃｅ）する。
【００７２】
表示部３０４は、制御部３０６の制御によって移動通信端末１００の各種情報を表示し、キー入力部３００で発生するキーデータ（ｋｅｙ  ｄａｔａ）及び制御部３０６の各種情報信号の入力を受けてディスプレイする。また、野球中継サービスを提供するアプリケーションであるコンテンツ中継部３１０が実行される場合、コンテンツ中継部３１０により構成されるスポーツ情報画面を表示させ、スポーツ情報画面上に実現されたメニューのうち、ユーザのキー入力により選択されるメニューに対応する情報をコンテンツ中継部３１０から提供を受けて表示させる。
【００７３】
制御部３０６は、メモリ部３０８に格納された動作プログラムによって移動通信端末１００の全般的な動作を制御する。前記のような動作プログラムは、端末１００の動作に必要な基本的なオペレーティングシステム（ｏｐｅｒａｔｉｎｇ  ｓｙｓｔｅｍ）だけでなく、表示部３０４とキー入力部３００とを連結し、データの入／出力を管理したり、端末１００の内部アプリケーションなどを動作させるように、製造時に予めプログラミング（ｐｒｏｇｒａｍｉｎｇ）されるソフトウェアを通称する。
【００７４】
コンテンツ中継部３１０は、移動通信端末１００で本発明の通信網を用いた野球中継サービスを実行できるように実現されたアプリケーションであって、移動通信端末１００の製作時に移動通信端末１００上に予めプログラムされてインストールされてもよく、移動通信端末１００の製作後に通信部３０２などを通じて移動通信端末１００にダウンロードされてインストールされてもよい。
【００７５】
前記のようにインストールされるコンテンツ中継部３１０は、制御部３０６により駆動されて通信網上のコンテンツ中継サーバ１０２に接続する場合、コンテンツ中継サーバ１０２から提供される野球情報を用いてスポーツ情報画面を構成し、これを表示部３０４に野球中継サービスのための初期画面として表示させる。これにより、移動通信端末１００のユーザは、スポーツ情報画面上で所望のメニュー項目をタッチなどの入力を通じて選択できるようになるが、コンテンツ中継部３１０は、スポーツ情報画面から選択されるメニューに対応する野球情報を表示部３０４に表示させる。
【００７６】
このとき、前記のような野球情報は、現在進行中の野球試合に関するリアルタイム中継情報と多様な野球関連記録情報を含むことができる。
【００７７】
コンテンツ中継部３１０は、リアルタイム中継情報に対しては、スポーツ情報画面上のリアルタイム中継情報の提供のために区分された画面領域にリアルタイムで中継情報を表示させる。このようなリアルタイム中継情報は、移動通信端末１００のユーザの設定によって文字中継又は実際の中継映像などで提供され得る。コンテンツ中継部３１０は、リアルタイム中継情報が文字中継に設定された場合、コンテンツ中継サーバ１０２から野球試合の状況に関する文字データを受信してリアルタイム中継情報領域に表示させ、リアルタイム中継情報が実際の中継映像に設定された場合、コンテンツ中継サーバ１０２により連結される中継映像サーバ１０８から野球試合の実際の中継映像データを受信してリアルタイム中継領域に表示させる。
【００７８】
また、スポーツ情報画面には、多様な野球関連記録情報を多数の項目に分類してメニュー（ｍｅｎｕ）で表示させ、メニューの選択時に該当メニューに対応する野球関連記録情報が提供され得るように実現されたメニュー領域が存在する。これにより、移動通信端末１００のユーザは、自身が所望の情報が含まれているメニューを選択して野球関連記録情報を要請できる。すると、コンテンツ中継部３１０は、該当メニューに対応する野球関連記録情報をコンテンツ中継サーバ１０２に要請して表示部３０４に表示させる。このような野球関連記録情報としては、終了した試合の結果情報、野球映像、チーム別成績又は選手別成績などが含まれ得る。
【００７９】
更に、コンテンツ中継部３１０は、コンテンツ中継サーバ１０２で通知状況の発生によって通知状況の発生に関する情報が受信される場合、移動通信端末１００の特定領域に実現され得る通知バー又はポップアップメッセージで通知状況を文字メッセージなどで表示させたり、音声で出力させてユーザが興味を持つ通知状況が発生したことを知らせることができる。
【００８０】
例えば、コンテンツ中継部３１０は、移動通信端末１００の動作モードが野球中継視聴モードではない場合、通知状況が発生したことを知らせる通知バーの形態で通知情報を露出させることができる。又は、コンテンツ中継部３１０は、移動通信端末１００が現在待機モードである場合は、ポップアップメッセージが表示されるようにしてユーザが興味を持つスポーツ中継で通知状況が発生したことを知らせることができる。又は、コンテンツ中継部３１０は、移動通信端末１００のユーザが既に該当スポーツ中継を見ている状況の場合、スポーツ中継画面内の一定領域にポップアップメッセージで該当通知状況を表示させてユーザが新たな状況が発生したことを認知できるようにする。
【００８１】
これにより、ユーザは、通知バー又はポップアップメッセージに応答して該当通知状況に関する詳細内容の視聴を要請できるが、このようにユーザからの要請がある場合、コンテンツ中継部３１０は、該当通知状況に対する中継映像又は文字などの要請を通信網上のコンテンツ中継サーバ１０２に送る。
【００８２】
続いて、コンテンツ中継サーバ１０２から通知状況に対する中継文字を受信したり、中継映像サーバ１０８から通知状況に対する中継映像を受信して移動通信端末１００の表示部３０４に表示させる。このとき、中継文字に対しては、音声で出力させて通知状況に関する詳細内容を提供することも可能である。
【００８３】
また、コンテンツ中継部３１０は、通知状況に対する中継映像の提供において、リアルタイム中継方式で中継映像サーバ１０８から該当コンテンツのリアルタイム中継映像を受信して提供することも可能である。更に、タイムマシン中継方式で、通知状況が発生した時点以前の既に設定された一定時点から該当コンテンツの中継映像を中継映像サーバ１０８から受信して提供することも可能である。
【００８４】
このとき、特にタイムマシン中継方式において、中継映像サーバ１０８は、該当コンテンツに対して持続的に録画した映像データを用いて通知状況が発生した時点以前の既に設定された第１の一定時点から通知状況が発生した時点以降の既に設定された第２の一定時点までの映像を中継映像として製作して移動通信端末１００に提供できる。このとき、中継映像サーバ１０８は、コンテンツ中継サーバ１０２からタイムマシン中継方式での中継のためのタイムマシン設定情報の提供を受けることができる。
【００８５】
従って、コンテンツ中継部３１０は、タイムマシン中継方式の場合、中継映像サーバ１０８により通知状況が発生した時点以前の既に設定された第１の一定時点から前記通知状況が発生した時点以降の既に設定された第２の一定時点まで製作された映像を受信して再生させることができる。
【００８６】
図４、図５Ａ、図５Ｂ、図６Ａ、図６Ｂ、図７Ａ及び図７Ｂは、本発明の実施形態による多様な野球中継画面の例示図を示す図である。以下では、図４、図５Ａ、図５Ｂ、図６Ａ、図６Ｂ、図７Ａ及び図７Ｂを参照して移動通信端末１００における野球中継サービスの動作を詳細に説明する。
【００８７】
まず、図４は、移動通信端末１００が通信網上のコンテンツ中継サーバ１０２に接続する場合、コンテンツ中継サーバ１０２から提供される野球中継情報を用いてコンテンツ中継部３１０により構成されるスポーツ情報画面を例示したものである。
【００８８】
図４を参照すれば、スポーツ情報画面は、多様な野球関連記録情報を多数の項目に分類してメニューで表示させ、メニューの選択時に該当メニューに対応する野球関連記録情報が提供され得るように実現されたメニュー領域４００と情報領域４０２とに区分され得る。
【００８９】
図４は、特にメニュー領域４００からＴｏｄａｙ項目が選択されることによって、Ｔｏｄａｙ項目に対応する野球情報が表示された画面を例示したものであって、情報領域４０２は、例えば今日の野球試合の日程とリアルタイム中継情報としてスコアが表示されるように実現されたリアルタイム中継情報とアクセスランキングニュース、アクセスランキング映像などの付加情報で構成されることが分かる。
【００９０】
このとき、情報領域４０２のうち、リアルタイム中継情報から現在進行中の野球試合に対する中継を要請するライブ（ｌｉｖｅ）テレビ項目が選択される場合、図５Ａの参照番号１００２−１のように該当野球試合に対するリアルタイム中継画面に切り替わり得る。参照番号１００２−１の画面は、特にリアルタイム中継情報として文字中継を選択した場合の文字中継の例示画面であって、このような文字中継画面を通じて野球試合の状況をリアルタイムで確認できる。
【００９１】
参照番号１００２−２は、リアルタイム中継情報として中継映像、即ち、テレビ映像を選択した場合の中継映像の例示画面を示すものであり、参照番号１００２−３、１００２−４は、リアルタイム中継情報の例示画面でピッチャー又はバッターの情報を要請する入力がある場合、該当ピッチャーとバッターの詳細情報が表示される例示画面を示すものである。
【００９２】
このように、現在進行中の野球試合に対して文字中継又はリアルタイム中継映像で試合を視聴でき、試合中のバッターと選手の詳細な情報を確認でき、より便利に野球中継を楽しむことができる。
【００９３】
図６Ａ及び図６Ｂは、図４のスポーツ情報画面のメニュー領域４００において各メニュー項目に対する対応する情報画面を例示したものである。
【００９４】
参照番号２０００は、メニュー領域４００から「日程」が選択された場合に表示される情報画面を例示したものであって、過去の試合の結果情報と現在又は予定されている試合の日程情報を表示できる。
【００９５】
参照番号３０００は、メニュー領域４００から「映像」が選択された場合に表示される情報画面を例示したものであって、以前の野球試合で生成されたハイライト映像などの情報を表示できる。
【００９６】
参照番号４００１は、メニュー領域４００から「記録」が選択された場合に表示される情報画面を例示したものであって、チームランキング、チーム攻撃、チーム守備、個人バッター、個人ピッチャーなど成績に関する情報のうち、チームランキング情報が表示されることを例示している。図７Ａの参照番号４００２は、チーム攻撃ランキング情報が表示される例示画面であり、参照番号４００３は、チーム守備ランキング情報が表示される例示画面である。参照番号４００４は、個人バッターランキング情報が表示される例示画面であり、参照番号４００５は、個人ピッチャーランキング情報が表示される例示画面である。
【００９７】
前記のようなランキング情報を通じて各チームの成績と個人選手別の成績をより容易に確認でき、野球試合を視聴する楽しみが更に広がることもできる。
【００９８】
図７Ａ及び図７Ｂは、参照番号５００１のメニュー領域４００から「設定」が選択された場合に表示される情報画面を例示したものであって、このような設定情報画面においてユーザは野球中継サービスの提供を受ける場合、いかなる情報を受けるかなどをそれぞれ設定できるため、ユーザ別のオーダーメイド型情報提供を通じて便利性を更に増大させることができる。
【００９９】
図８Ａ及び図８Ｂは、本発明の実施形態によるコンテンツ中継システムにおいてスポーツの１つである野球中継動作のための信号処理のフローを示すものである。以下、図１、図２、図３、図８Ａ及び図８Ｂを参照して本発明の実施形態を詳細に説明する。
【０１００】
まず、コンテンツ中継サーバ１０２は、通信網を介した移動通信端末１００への野球中継サービスのために、試合記録サーバ１０４から野球試合の状況に関する文字中継情報を受信し（Ｓ８００）、野球試合の状況に関する文字中継が可能になるようにする。また、野球試合の状況に対する中継映像に対しては、中継映像サーバ１０８に移動通信端末１００の要請を送り、中継映像サーバ１０８を通じて野球試合の状況に関する中継映像が提供されるようにする。このような中継映像サーバ１０８を通じた中継映像の提供については後述する。
【０１０１】
続いて、移動通信端末１００では野球中継サービスを利用する場合、サービスを受ける情報を設定情報として作成してコンテンツ中継サーバ１０２に登録させるようになる（Ｓ８０２）。
【０１０２】
このとき、設定情報は、野球中継サービスに加入した移動通信端末１００のユーザ自身がサービスの提供を希望する野球関連記録情報、野球試合関連の通知状況情報、リアルタイム中継情報などを設定した情報になり得る。例えば、野球試合が予定されている当日に全球場の野球試合に関するリアルタイム中継情報の受信を希望するかしないか、野球関連記録情報の中では特定の幾つかのチームのチーム成績と選手の成績情報を検索することを希望するかしないか、興味のある野球試合に対してホームラン、逆転、投手の交代などの野球試合関連の通知状況の発生時に通知メッセージを受信するかしないかなどを設定する情報であり得る。このような設定情報は、移動通信端末１００の野球中継サービスを提供するアプリケーションが実行される場合、該当アプリケーションで提供する環境設定メニューから所望の情報を選択して設定情報を定めることができる。
【０１０３】
すると、コンテンツ中継サーバ１０２は、野球中継サービスに加入した移動通信端末１００に対して前記のように送られた設定情報を登録する（Ｓ８０４）。
【０１０４】
続いて、野球中継サービスに加入した移動通信端末１００が野球中継サービスを提供するアプリケーションであるコンテンツ中継部３１０を実行させてコンテンツ中継サーバ１０２に接続する場合（Ｓ８０６）、このような接続要請は、移動通信端末１００からコンテンツ中継サーバ１０２に送られる。
【０１０５】
すると、コンテンツ中継サーバ１０２は、該当移動通信端末１００に対する加入者認証を行い（Ｓ８０８）、該当移動通信端末１００により予め登録された設定情報によって該当移動通信端末１００が受信を希望する野球関連記録情報と現在進行中の野球試合のリアルタイム中継情報を移動通信端末１００に提供する（Ｓ８１０）。このとき、このようなリアルタイム中継情報は、野球試合の状況に対する文字中継になり得る。
【０１０６】
これにより、移動通信端末１００は、コンテンツ中継サーバ１０２から提供されるリアルタイム中継情報と野球関連記録情報などの野球情報を用いて図４でのようなスポーツ情報画面を表示させるようになる（Ｓ８１２）。
【０１０７】
これにより、移動通信端末１００のユーザは、スポーツ情報画面から所望のメニューを選択してリアルタイムで野球中継を視聴したり、ユーザ自身の気になる野球関連記録情報を検索することが可能である。
【０１０８】
このように、移動通信端末１００を通じて野球中継サービスの利用中に現在進行中の野球試合で移動通信端末１００に知らせることが必要な通知状況が発生し得る。このような通知状況は、例えば野球試合の場合、ホームラン、逆転、投手の交代などの状況でユーザが通知メッセージで通報を受けられるように予め設定したイベントである記録状況に該当する状況であり得る。又は、予想状況、重要状況、関心状況であり得る。
【０１０９】
即ち、コンテンツ中継サーバ１０２は、試合記録サーバから受信されるスポーツ中継と関連する文字データ情報を用いて移動通信端末１００への通知が必要な通知状況が発生するかを検査する（Ｓ８１４）。このとき、コンテンツ中継サーバ１０２は、該当競技と関連する予想状況、重要状況、関心状況などに対する通知状況に対しても、予めデータ化した情報と文字データを組み合わせて検査する。
【０１１０】
このとき、記録状況は、実際に野球試合状況のうち、１つの記録として区分される状況を意味するものであって、例えばホームラン、投手の交代、安打、得点の成功などの状況を意味し得る。
【０１１１】
予想状況は、それ自体の状況だけでは１つの記録ではないものの、記録として区分され得る状況が発生する可能性が高い状況を意味するものであって、例えば野球の場合、得点チャンス（２塁以上の進出など）、勝負所（７回以後同点ランナーの進出時、抑え投手の登板時など）などの状況を意味し得る。
【０１１２】
重要状況は、状況自体は中継が必要な重要な状況ではないものの、相手選手及び時期によって特別に意味を付与できる状況を意味するものであって、例えば野球の場合、「リュ・ヒョンジン投手の１００Ｋ突破」、「イ・スンヨプ選手の韓国復帰後初安打」、「連続フォアボール」などの状況を意味し得る。
【０１１３】
関心状況は、通知サービスに登録したユーザの選好度によって中継が必要と判断される状況を意味するものであって、例えば野球の場合、「好守備」、「名珍場面」、「観客席あれこれ」などの状況を意味し得る。
【０１１４】
前記のような監視の結果、通知状況が発生したと判断される場合（Ｓ８１６）、コンテンツ中継サーバ１０２は、移動通信端末１００に通知状況の発生を通報する（Ｓ８１８）。
【０１１５】
このような通知状況は、移動通信端末１００に送られ、移動通信端末１００では移動通信端末１００のモードによって既に設定された方式で通知状況の発生を知らせるメッセージが通知バー又はポップアップメッセージの形態で表示される（Ｓ８２０）。
【０１１６】
このとき、例えば、移動通信端末１００は現在の動作モードを検査し、移動通信端末１００の現在の動作モードが野球中継視聴モードではない場合、通知状況が発生したことを知らせる通知バーの形態で通知情報を露出させることができる。又は、現在の動作モードが待機モードの場合は、ポップアップメッセージが表示されるようにしてユーザが興味を持つスポーツ中継で通知状況が発生したことを通知できる。又は、現在の動作モードが該当スポーツ中継を見ている状況の場合、移動通信端末１００は、スポーツ中継画面内の一定領域にポップアップメッセージで該当通知状況を表示させてユーザが新たな状況が発生したことを認知できるようにする。
【０１１７】
これにより、ユーザは、通知バー又はポップアップメッセージで表示される通知状況の発生に応答して該当通知状況に関する詳細内容の視聴を要請できる。このように、ユーザからの要請がある場合、移動通信端末１００は、該当通知状況に対する中継映像要請を送信できる（Ｓ８２２）。
【０１１８】
すると、コンテンツ中継サーバ１０２は、移動通信端末１００からの通知状況に対する中継要請を受信し、中継要請がリアルタイム中継か、タイムマシン中継かを検査する（Ｓ８２４）。このとき、タイムマシン中継とは、通知状況が発生した該当スポーツの中継映像を通知状況が発生した時点よりも既に設定された時間だけ以前の時間に移動して該当時点からの中継映像を提供する中継を意味する。
【０１１９】
この際、もし、移動通信端末１００からの通知状況に対する中継要請がリアルタイム中継の場合、コンテンツ中継サーバ１０２は、中継映像サーバ１０８にリアルタイム中継の要請を送る（Ｓ８２６）。
【０１２０】
これにより、中継映像サーバ１０８は、野球試合に対する実際の中継映像データをストリーム形態で移動通信端末１００に提供してリアルタイム中継を行う（Ｓ８２８）。
【０１２１】
しかし、移動通信端末１００からの通知状況に対する中継要請がタイムマシン中継の場合、コンテンツ中継サーバ１０２は、中継映像サーバ１０８にタイムマシン中継の要請を送る（Ｓ８３０）。
【０１２２】
これにより、中継映像サーバ１０８は、該当野球試合に対して持続的に録画した映像データを用いて通知状況が発生した時点以前の既に設定された一定時点からの映像データを中継映像として製作して提供する（Ｓ８３２）。
【０１２３】
これにより、移動通信端末１００は、中継映像サーバ１０８から送られる通知状況に該当するリアルタイム中継映像又はタイムマシン中継映像を移動通信端末１００の表示部３０４に再生させてユーザが通知状況に関する情報を確認できるようにする。
【０１２４】
前述した通り、本発明では、スポーツ中継サービスを提供するにおいて、通信網を活用したリアルタイム通知を通じて移動通信端末にスポーツ中継情報を提供し、ユーザがスポーツ競技と関連して受信を希望する情報を直接設定することで、スポーツ競技に対するリアルタイム中継情報及び多様なスポーツ関連記録情報を容易に確認でき、スポーツ競技中に発生する競技と関連する多様な通知状況に対する通知をリアルタイムで受信し、スポーツ中継画面に連結できるようにすることによって、トラフィックの制限があるモバイル環境においてより効率的にスポーツ中継を視聴できるようにする。
【０１２５】
一方、前述した本発明の説明では、具体的な実施形態について説明したが、多様な変形が本発明の範囲から逸脱することなく実施され得る。従って、発明の範囲は、説明された実施形態によって定めるのではなく、特許請求の範囲により定められるべきである。
【産業上の利用可能性】
【０１２６】
本発明では、スポーツ中継サービスを提供するにおいて、通信網を活用したリアルタイム通知を通じて移動通信端末にスポーツ中継情報を提供し、ユーザがスポーツ競技と関連して受信を希望する情報を直接設定することで、スポーツ競技に対するリアルタイム中継情報及び多様なスポーツ関連記録情報を容易に確認でき、スポーツ競技中に発生する競技と関連する多様な通知状況に対する通知をリアルタイムで受信し、スポーツ中継画面に連結できるようにすることにより、ＬＴＥなどの通信網に適用できる。
【符号の説明】
【０１２７】
１００    移動通信端末
１０２    コンテンツ中継サーバ
１０４    試合記録サーバ
１０８    中継映像サーバ
２００    通信部
２０２    メモリ部
２０４    サーバ制御部
２０６    中継部
２０８    記録情報提供部
２１０    格納部
【図１】
2014003612.tif 000003
【図２】
2014003612.tif 000004
【図３】
2014003612.tif 000005
【図４】
2014003612.tif 000006
【図５Ａ】
2014003612.tif 000007
【図５Ｂ】
2014003612.tif 000008
【図６Ａ】
2014003612.tif 000009
【図６Ｂ】
2014003612.tif 000010
【図７Ａ】
2014003612.tif 000011
【図７Ｂ】
2014003612.tif 000012
【図８Ａ】
2014003612.tif 000013
【図８Ｂ】
2014003612.tif 000014